(57)【要約】      （修正有）【課題】設置コスト・設置面積を低減することができる太陽熱利用システム畜熱水槽を提供する。【解決手段】硬質ウレタンの心材と強化プラスチック若しくは金属の表面平板材からなる複合板を、底板・側板・天板とする６面体箱型である。天板を水平面に対して設置場所の緯度に相当する角度に傾斜させ、併せて当該天板に太陽光集熱パネルを直接布設する事を特徴とする。【選択図】図１
0003161948.tif 000002
【実用新案登録請求の範囲】
【請求項１】
蓄熱水槽の天板に太陽集熱パネルを利用し、当該水槽躯体に太陽集熱パネルの架台を兼用させる事を特徴とする蓄熱水槽
【請求項２】
水槽天板を傾斜させる事により、天板に設置される太陽集熱器で加温される熱媒が自重の変化により蓄熱水槽内を一定方向に循環する事を特徴とする請求項１記載の蓄熱水槽
【考案の詳細な説明】
【技術分野】
【０００１】  本考案は、太陽光を利用した蓄熱システムに係るものであり、詳しくは太陽集熱パネルと蓄熱水槽を組み合わせた蓄熱装置ユニットに関するものである。
【背景技術】
【０００２】  従来、太陽熱を利用する温水供給システムで用いられる太陽集熱パネル部材は鉄骨などで剛強に作られた架台により屋根面などに設置され、蓄熱槽は別個に地下室などに設けられ、其々に広範な設置場所が必要であった。
【先行技術文献】
【非特許文献】
【０００３】
【非特許文献１】  「ＹＡＺＡＫＩ  設計資料  太陽熱利用システム」、矢崎総業株式会社  ＡＢ−１６Ｆ  ２００８．１１Ｎ
【考案の概要】
【考案が解決しようとする課題】
【０００４】  太陽熱を利用する温水供給システムで用いられる太陽集熱パネル部材は、太陽光をさえぎるものが少ない屋上や屋根に設けられる為、蓄熱槽との距離は離れており、結果集積した熱の受け渡しには熱媒体若しくは温水を長距離移動させる必要が有り、熱交換のために常時多くの動力を必要としていた。【０００５】  また多量の温水若しくは熱媒を貯留する蓄熱水槽は近傍に設置されるポンプ並びに熱交換器と共に広大な床面を占有し、他の装置の設置場所を奪い、建物の設備計画の自由度を低下させ、且つ設置コストを増大させていた。
【課題を解決する為の手段】
【０００６】  本考案は、従来の技術が有するこの様な問題点に鑑みてなされたものであり、その目的とするところは、太陽光を利用した蓄熱システムにおいて、蓄熱水槽と太陽集熱パネルを組み合わせ一個のユニット部品化することで前述の問題を解決しようとするものである。
【考案の効果】
【０００７】  蓄熱水槽を太陽集熱パネルの架台とし、同時に太陽集熱パネルを蓄熱水槽の天板として相互利用することで蓄熱システムに係る装置部品数を低減すると共に、従来、別個に必要であった蓄熱水槽と太陽集熱パネル機材の設置面積を減らす事が出来る。
【０００８】  蓄熱水槽を規格を統一した小型ユニット化する事により蓄熱水槽の製造コストを低減する事が出来る。
【図面の簡単な説明】
【０００９】
【図１】  本考案の蓄熱ユニットの実施例を示す平面図・立面図・断面図である。
【図２】  本蓄熱ユニットの配置例である。
【符号の説明】
【００１０】  １    蓄熱槽の外板部となる薄板
２    蓄熱槽の内板部となる薄板
３    蓄熱槽の断熱層となる硬質発泡樹脂平板
４    太陽集熱器
５    蓄熱槽の天板内面となる薄板
６    太陽集熱パネルの断熱並びに蓄熱槽の断熱層となる硬質発泡樹脂平板
７    内容液
８    遮断弁並びに逆止弁
９    熱交換ユニット
１０  温水（熱媒）移動用の配管取出口
１１  溢出配管接続口
１２  通気配管接続口
１３  蓄熱水槽設置用架台
Ａ    蓄熱水槽部材
Ｂ    太陽集熱パネル部材
Ｃ    蓄熱ユニット
【考案を実施するための形態】
【００１１】  蓄熱水槽Ａの躯体強度並びに面外剛性を確保する為、薄板１，２はステンレス等の金属若しくは強化プラスチックの薄板を用いる事が出来る。
水槽内面を形成する２は、好ましくは強化プラスチックの薄板を用い、蓄熱水槽の十分な止水性を担保するため、水槽の側板ならびに底板となる板部材同士は隙間無く連続的に溶接等の方法により連結されるか、側板・底板が一体として成型される事が望ましい。
【００１２】  蓄熱水槽Ａの断熱性を担保する為、中間層３は硬質の独立発泡樹脂平板とする。  更に水槽を構成する平板部材の面外剛性を高める為、３には、例えば硬質発泡ウレタン板などを用いる事が出来、３は薄板１、２との界面に於いて薄板１，２に接着され１、２、３が一体となり複合材料板として挙動する事が望ましい。
【００１３】  太陽集熱パネルＢは、薄板状の太陽集熱器４の面外剛性を確保し、同時に蓄熱水槽Ａの断熱効率を高める為、その下地となる中間層５には、蓄熱水槽Ａと同様に硬質発泡ウレタン板若しくは硬質グラスウール成形板を蓄熱水槽Ａの天板として機能する太陽集熱パネルＢに断熱性能と面外剛性を確保する目的で用いる事が望ましい。  また、水槽内面の一部となる薄板６には、強化プラスチック薄板が用いられ、蓄熱水槽Ａに貯留される温水並びに蓄熱水槽Ａ気相部に蓄積される腐蝕性のガス、例えば内容物７が水道水の場合塩素ガスに対して耐食性を有する事が望ましい。
【００１４】  蓄熱水槽Ａと太陽集熱パネルＢとの接合部は、十分な止水性を確保出来かつ必要に応じて容易に分解組立が出来、さらに接合時には一体として外力に抵抗できる様に、止水目的のガスケットを有し、ボルト等により剛強に接続される事が望ましい。
【００１５】  蓄熱水槽Ａと太陽集熱パネルＢとの接合部は、Ａ，Ｂを隙間なく密着させ十分な止水性を確保出来る様に、エラストーマー若しくはゴム状のガスケットを有する事が望ましい。
【００１６】  また、内容液の急激な増減に伴い水槽内に過大な内圧変動が生じない様に、蓄熱水槽Ａには溢水の為の開口１１並びに給排気のための開口１２が設けられる事が望ましい。
【００１７】  太陽集熱器４の水平面に対する設置角度は、設置場所の緯度近傍の傾斜角とすることが好ましく、また当該太陽集熱器４の受光面は、建物への蓄熱装置ユニットＣの設置に際して、方位角０度、すなわち南面させる事が望ましい。
【００１８】  蓄熱ユニットＣを前述の方位角に向けて複数設置する場合、隣接する太陽集熱器が互いに干渉し集熱効率を下げる事の無い様に、蓄熱ユニットＣは、図２のように直線を組み合わせた多角形の平面形状、例えば長方形として建物外周に沿った雁行配置を行えるようにする事が望ましい。
【００１９】  蓄熱ユニットＣは、太陽集熱器４と加温対象の内容液７との間の熱交換を直接行う為の熱交換ユニット９を持つ。
この熱交換ユニット９は、熱媒の温度による比重変化を利用したものが動力装置を必要としない点で好ましいが、補助的な循環ポンプ設備を有するものでもあっても良い。
【００２０】  太陽集熱器４部分で熱媒が夜間冷却される事により熱媒の流れが逆転して蓄熱水槽Ａ内の熱が熱媒を介して当該集熱器４から逆に放出される事が無いように、熱交換ユニット９と太陽集熱器４との接続配管部には、逆止弁並びに遮断弁８が設けられる事が望ましい。
【図１】
0003161948.tif 000003
【図２】
0003161948.tif 000004
【手続補正書】
【提出日】平成22年3月24日(2010.3.24)
【手続補正１】
【補正対象書類名】実用新案登録請求の範囲
【補正対象項目名】請求項１
【補正方法】変更
【補正の内容】
【請求項１】
貯留する内容液を保温し、これにより蓄熱することを目的とした、硬質ウレタンの心材と強化プラスチック若しくは金属の表面平板材からなる複合板を底板・側板・天板とする６面体箱型の蓄熱水槽で、その天板を水平面に対して設置場所の緯度に相当する角度に傾斜させ、併せて当該天板に太陽光集熱パネルを直接布設する事を特徴とする蓄熱水槽
【手続補正２】
【補正対象書類名】実用新案登録請求の範囲
【補正対象項目名】請求項２
【補正方法】削除
【補正の内容】
【手続補正書】
【提出日】平成22年6月22日(2010.6.22)
【手続補正３】
【補正対象書類名】手続補正書
【補正対象項目名】手続補正１
【補正方法】変更
【補正の内容】
【手続補正１】
【補正対象書類名】実用新案登録請求の範囲
【補正対象項目名】全文
【補正方法】変更
【補正の内容】
【実用新案登録請求の範囲】
【請求項１】
貯留する内容液を保温し、これにより蓄熱することを目的とした、硬質ウレタンの心材と強化プラスチック若しくは金属の表面平板材からなる複合板を底板・側板・天板とする６面体箱型の蓄熱水槽で、その天板を水平面に対して設置場所の緯度に相当する角度に傾斜させ、併せて当該天板に太陽光集熱パネルを直接布設する事を特徴とする蓄熱水槽
【手続補正４】
【補正対象書類名】手続補正書
【補正対象項目名】手続補正２
【補正方法】削除
【補正の内容】